(57)【要約】【課題】  通信装置を装着した携帯端末へのＩＰプッシュサービスを行う場合において、不要な無線基地局のサーチを行うことなく、ＳＭＳメッセージの受信からダイアルアップ接続完了までの時間を短縮する【解決手段】  ＩＰプッシュサーバがＳＭＳサーバに依頼したＩＰプッシュサーバへのアクセス要求を外部機器として装着された通信装置を介して前記ＳＭＳサーバから受信すると、前記通信装置に割り当てた通信ポートを一旦切断した後に前記通信装置を用いたダイアルアップ接続によってＩＰプッシュサーバにアクセスする携帯端末であって、前記通信ポートの切断後における給電状態の維持を前記通信装置に指示する、という手段を採用する。【選択図】      図１
2006333383.tif 000002
【特許請求の範囲】
【請求項１】
ＩＰプッシュサーバがＳＭＳサーバに依頼したＩＰプッシュサーバへのアクセス要求を外部機器として装着された通信装置を介して前記ＳＭＳサーバから受信すると、前記通信装置に割り当てた通信ポートを一旦切断した後に前記通信装置を用いたダイアルアップ接続によってＩＰプッシュサーバにアクセスし、前記通信ポートの切断後における給電状態の維持を前記通信装置に指示することを特徴とする携帯端末。
【請求項２】
外部機器として通信装置が装着された携帯端末に搭載されるものであって、ＩＰプッシュサーバがＳＭＳサーバに依頼したＩＰプッシュサーバへのアクセス要求を前記通信装置を介して前記ＳＭＳサーバから受信すると、前記通信装置に割り当てた通信ポートを一旦切断した後に前記通信装置を用いたダイアルアップ接続によってＩＰプッシュサーバにアクセスする処理を前記携帯端末に実行させ、前記通信ポートの切断後における給電状態の維持を前記通信装置に指示することを特徴とするプログラム。
【請求項３】
自らに接続された携帯端末からの制御に基づいて、ＩＰプッシュサーバがＳＭＳサーバに依頼したＩＰプッシュサーバへのアクセス要求を受信すると、当該アクセス要求を前記携帯端末に出力し、前記アクセス要求を携帯端末に出力した後、前記携帯端末によって自らに割り当てられた通信ポートが前記携帯端末によって切断される前に、前記通信ポートが切断されても給電状態を維持する指令が前記携帯端末から入力されると、前記給電状態を維持することを特徴とする通信装置。
【請求項４】
自らに接続された携帯端末からの制御に基づいて、ＩＰプッシュサーバがＳＭＳサーバに依頼したＩＰプッシュサーバへのアクセス要求を受信すると、当該アクセス要求を前記携帯端末に出力し、前記アクセス要求を受信すると、現在通信接続している基地局の基地局情報を記憶し、また、前記アクセス要求を携帯端末に出力した後、前記携帯端末によって自らに割り当てられた通信ポートが切断されることによって自己の電源を一旦ＯＦＦにし、前記携帯端末によるＩＰプッシュサーバへのアクセス開始に伴って再起動する場合に前記基地局情報に該当する基地局との通信接続を行うことを特徴とする通信装置。
【発明の詳細な説明】
【技術分野】
【０００１】
本発明は、携帯端末、プログラム及び通信装置に関する。
【背景技術】
【０００２】
近年、ネットワークの上位装置が有する情報を、ユーザ等が保有する下位装置に対して、下位装置の要求とは異なるタイミングで送信するＩＰプッシュサービスが盛んに行われている。図５は、無線通信カードを装着可能なノートＰＣ（Personal Computer）等の携帯端末に対してＩＰプッシュサービスを行うＩＰプッシュサービスシステムの構成概略図である。
【０００３】
図５において、符号１００はＩＰプッシュサービス端末、１０１はＩＰプッシュサーバ、１０２はＳＭＳ（Short Message Service）サーバ、１０３は通信回線網、１０４は無線基地局、１０５は無線通信カード（通信装置）、１０６は携帯端末である。ＩＰプッシュサービス端末１００は、ユーザに対してＩＰプッシュサービスを提供するＩＳＰ（Internet Services Provider）が保有するＰＣ等の端末であり、ユーザ（携帯端末１０６）へのＩＰプッシュサービスの提供を通信回線網１０３を介してＩＰプッシュサーバ１０１に指示する。ＩＰプッシュサーバ１０１は、ＩＰプッシュサービス用の各種データを保有しており、ＩＰプッシュサービス端末１００からユーザへのＩＰプッシュサービスの提供を指示されると上記データをユーザに送信する。ＳＭＳサーバ１０２は、ＳＭＳメッセージをユーザに送信する。通信回線網１０３は、全国各地に張り巡らされたアナログ電話回線網である。無線基地局１０４は、所定のサービスエリア毎に設置され、当該サービスエリアに存在する携帯通信端末、すなわち無線通信カード１０５を装着した携帯端末１０６を無線通信により通信回線網１０３に接続するための中継局である。無線通信カード１０５は、例えば、ＣＤＭＡ２０００  １ｘＥＶ−ＤＯ（Code Division Multiple Access  ２０００  １ｘ  Evolution Data Only）方式等を用いて無線基地局１０４と無線通信を行う無線通信用のＰＣカードであり、携帯端末１０６から電源供給を受けることで動作している。携帯端末１０６は、ユーザが保有するノートＰＣ等の携帯可能な端末であり、無線通信カード１０５を装着することにより無線基地局１０４を介して通信回線網１０３と接続可能である。
【０００４】
上記のように構成されたＩＰプッシュサービスシステムの動作について説明する。まず、ＩＰプッシュサービス端末１００は、ＩＰプッシュサーバ１０１に対してユーザへのＩＰプッシュサービスの提供を指示する。ＩＰプッシュサーバ１０１は、携帯端末１０６のＩＰアドレスがわからない場合、ダイアルアップ接続によってＩＰプッシュサーバ１０１にアクセスするように指示するためのＳＭＳメッセージを携帯端末１０６に送信するようにＳＭＳサーバ１０２に要求する。ＳＭＳサーバ１０２は、ＩＰプッシュサーバ１０１の要求に従ってＳＭＳメッセージを携帯端末１０６に送信する。携帯端末１０６はＳＭＳ受信待受状態にあり、無線基地局１０４及び無線通信カード１０５を介してＳＭＳサーバ１０２からの上記ＳＭＳメッセージを受信する。そして、携帯端末１０６は、受信したＳＭＳメッセージを解析して、ダイアルアップ接続を開始し、ＩＰプッシュサーバ１０１へアクセスする。ＩＰプッシュサーバ１０１は、携帯端末１０６からのアクセスにより携帯端末１０６のＩＰアドレスを取得することができるので、これによりＩＰプッシュサービス端末１００から指示されたＩＰプッシュサービスの提供を携帯端末１０６に対して行うことができる。このようなＩＰプッシュサービスシステムに関する技術として、例えば下記特許文献１が開示されている。
【特許文献１】特表２００３−５０９９２０号公報
【発明の開示】
【発明が解決しようとする課題】
【０００５】
ところで、携帯端末１０６は、ＳＭＳメッセージの解析が完了してダイアルアップ接続を開始する前に無線通信カード１０５が装着されているモデムポート（通信ポート）を切断する。すると、無線通信カード１０５は、自己の使用の終了と判断して携帯端末１０６から供給されている電源電圧をカットし、自己の電源をＯＦＦにしてしまう。そして、携帯端末１０６がダイアルアップ接続を開始すると、無線通信カード１０５は自己の使用の開始と判断して自己の電源をＯＮにする。この時、無線通信カード１０５は、自己の電源ＯＮに伴って無線基地局１０４のサーチを開始し、サーチ完了後にダイアルアップ接続を行うことになる。このように、モデムポートの切断に伴って、一度無線通信カード１０５の電源がＯＦＦになるため、無線基地局１０４のサーチを再度行うことになり、ＳＭＳメッセージの受信からダイアルアップ接続完了までの時間が増大するという問題があった。
【０００６】
本発明は、上述した事情に鑑みてなされたものであり、通信装置を装着した携帯端末へのＩＰプッシュサービスを行う場合において、不要な無線基地局のサーチを行うことなく、ＳＭＳメッセージの受信からダイアルアップ接続完了までの時間を短縮することを目的とするものである。
【課題を解決するための手段】
【０００７】
上記目的を達成するために、本発明では、携帯端末に係る解決手段として、ＩＰプッシュサーバがＳＭＳサーバに依頼したＩＰプッシュサーバへのアクセス要求を外部機器として装着された通信装置を介して前記ＳＭＳサーバから受信すると、前記通信装置に割り当てた通信ポートを一旦切断した後に前記通信装置を用いたダイアルアップ接続によってＩＰプッシュサーバにアクセスし、前記通信ポートの切断後における給電状態の維持を前記通信装置に指示する、という手段を採用する。
【０００８】
一方、本発明では、プログラムに係る解決手段として、外部機器として通信装置が装着された携帯端末に搭載されるものであって、ＩＰプッシュサーバがＳＭＳサーバに依頼したＩＰプッシュサーバへのアクセス要求を前記通信装置を介して前記ＳＭＳサーバから受信すると、前記通信装置に割り当てた通信ポートを一旦切断した後に前記通信装置を用いたダイアルアップ接続によってＩＰプッシュサーバにアクセスする処理を前記携帯端末に実行させ、前記通信ポートの切断後における給電状態の維持を前記通信装置に指示する、という手段を採用する。
【０００９】
さらに、本発明では、通信装置に係る第１の解決手段として、自らに接続された携帯端末からの制御に基づいて、ＩＰプッシュサーバがＳＭＳサーバに依頼したＩＰプッシュサーバへのアクセス要求を受信すると、当該アクセス要求を前記携帯端末に出力し、前記アクセス要求を携帯端末に出力した後、前記携帯端末によって自らに割り当てられた通信ポートが前記携帯端末によって切断される前に、前記通信ポートが切断されても給電状態を維持する指令が前記携帯端末から入力されると、前記給電状態を維持する、という手段を採用する。
【００１０】
また、本発明では、通信装置に係る第２の解決手段として、自らに接続された携帯端末からの制御に基づいて、ＩＰプッシュサーバがＳＭＳサーバに依頼したＩＰプッシュサーバへのアクセス要求を受信すると、当該アクセス要求を前記携帯端末に出力し、前記アクセス要求を受信すると、現在通信接続している基地局の基地局情報を記憶し、また、前記アクセス要求を携帯端末に出力した後、前記携帯端末によって自らに割り当てられた通信ポートが切断されることによって自己の電源を一旦ＯＦＦにし、前記携帯端末によるＩＰプッシュサーバへのアクセス開始に伴って再起動する場合に、前記基地局情報に該当する基地局との通信接続を行う、という手段を採用する。
【発明の効果】
【００１１】
本発明によれば、ＩＰプッシュサーバがＳＭＳサーバに依頼したＩＰプッシュサーバへのアクセス要求を外部機器として装着された通信装置を介して前記ＳＭＳサーバから受信すると、前記通信装置に割り当てた通信ポートを一旦切断した後に前記通信装置を用いたダイアルアップ接続によってＩＰプッシュサーバにアクセスする携帯端末において、前記通信ポートの切断後における給電状態の維持を前記通信装置に指示することで、通信ポート切断に伴う通信装置の電源ＯＦＦを防止し、ダイアルアップ接続によってＩＰプッシュサーバにアクセスする際に不要な無線基地局のサーチを行うことなく、ＳＭＳメッセージの受信からダイアルアップ接続完了までの時間を短縮することが可能である。
【発明を実施するための最良の形態】
【００１２】
以下、図面を参照して、本発明の実施形態について説明する。なお、ＩＰプッシュサービスシステムの構成は、図５と同様であるので、以下では無線通信カード１０５及び携帯端末１０６の構成及び動作について説明する。
【００１３】
〔第１実施形態〕
図１は、本発明の第１実施形態に係わる無線通信カード１０５及び携帯端末１０６の構成ブロック図である。上述したように携帯端末１０６は、ユーザが保有するノートＰＣ等の携帯可能な端末であり、ＰＣカードスロット１０６ａを備え、当該ＰＣカードスロット１０６ａに無線通信カード１０５を装着することにより無線基地局１０４を介して通信回線網１０３と通信接続可能である。
【００１４】
このような無線通信カード１０５は、無線通信部１０５ａ、アンテナ１０５ｂ、バッファ１０５ｃ、カード制御部１０５ｄ、電源スイッチ１０５ｅ、カードインターフェース部１０５ｆ及びコネクタ１０５ｇから構成されている。
【００１５】
無線通信部１０５ａは、例えば、ＣＤＭＡ２０００  １ｘＥＶ−ＤＯ方式を用いて無線基地局１０４と無線通信を行うものであり、アンテナ１０５ｂを介して送受信するデータ信号の周波数変換や変復調を行う。バッファ１０５ｃは、変調前の送信データ信号及び復調後の受信データ信号を一時格納するためのバッファである。
【００１６】
カード制御部１０５ｄは、携帯端末１０６からカードインターフェース部１０５ｆを介して入力される制御信号に基づいて無線通信カード１０５全体の動作を制御する。また、このカード制御部１０５ｄは、携帯端末１０６から送信されるカード電源制御信号に基づいて電源スイッチ１０５ｅのＯＮ／ＯＦＦを制御し、無線通信カード１０５の電源保持及び切断を行っている。電源スイッチ１０５ｅは、携帯端末１０６から電源ラインＰを介して供給される電源電圧を無線通信カード１０５内の各部に供給するものであり、上記のようにカード制御部１０５ｄの制御の下で電源供給（保持）及び切断を行っている。なお、電源ラインＰは、カード制御部１０５ｄと電源スイッチ１０５ｅとに接続されており、カード制御部１０５ｄには常に電源電圧が供給されている。
【００１７】
カードインターフェース１０５部ｆは、コネクタ１０５ｇを介して携帯端末１０６とのデータ信号及び制御信号の送受信を行うインターフェースである。コネクタ１０５ｇは、３２ｂｉｔ  ＣａｒｄＢｕｓタイプのコネクタであり、携帯端末１０６のＰＣカードスロット１０６ａに接続することにより、無線通信カード１０５と携帯端末１０６とを機械的及び電気的に接続している。
【００１８】
一方、携帯端末１０６は、ＰＣカードスロット１０６ａ、ＰＣインターフェース部１０６ｂ、モデムポート接続部１０６ｃ、ＳＭＳ解析部１０６ｄ、ダイアルアップ接続部１０６ｅ、ＰＣ制御部１０６ｆ、ＲＯＭ（Read Only Memory）１０６ｇ及びＲＡＭ（Random Access Memory）１０６ｈから構成されている
【００１９】
ＰＣカードスロット１０６ａは、上記のように無線通信カード１０５と携帯端末１０６とを機械的及び電気的に接続するためのものであり、ＰＣインターフェース部１０６ｂは、
携帯端末１０６、すなわちカードインターフェース部１０５ｆとのデータ信号及び制御信号の送受信を行うインターフェースである。
【００２０】
モデムポート接続部１０６ｃは、ＰＣ制御部１０６ｆの制御の下にモデムポートの接続及び切断を行う。ＳＭＳ解析部１０６ｄは、ＳＭＳサーバ１０２から無線基地局１０４を介して送信されたＳＭＳメッセージを解析し、その解析結果をＰＣ制御部１０６ｆに出力する。ダイアルアップ接続部１０６ｅは、ＰＣ制御部１０６ｆの制御の下にダイアルアップ接続及び切断を行う。
【００２１】
ＰＣ制御部１０６ｆは、予めＲＯＭ１０６ｇにインストールされている無線通信カード１０５用のデバイスドライバによって携帯端末１０６内の各部の動作を制御し、ＰＣインターフェース部１０６ｂを介して無線通信カード１０５とのデータ信号の送受信及び制御信号の出力を行う。また、詳細は後述するが、ＰＣ制御部１０６ｆは、ＳＭＳメッセージの解析中にカード電源制御信号をＰＣインターフェース部１０６ｂを介してカード制御部１０５ｄに出力し、カード制御部１０５ｄに対して電源保持要求を行う。
【００２２】
ＲＯＭ１０６ｇは上記ＰＣ制御部１０６ｆで実行されるデバイスドライバ、システムプ
ログラム、各種アプリケーション及びその他の不揮発性のデータ等を格納している。また、ＲＡＭ１０６ｈは、ＰＣ制御部１０６ｆのワーキングエリア用のメモリである。
【００２３】
次に、上記のように構成された無線通信カード１０５が装着された携帯端末１０６の動作について図２のフローチャート図を用いて説明する。
【００２４】
まず、無線通信カード１０５が携帯端末１０６のＰＣカードスロット１０６ａに接続されると、電源ラインＰを通じて携帯端末１０６から電源電圧がカード制御部１０５ｃ及び電源スイッチ１０５ｅに供給される。これにより、カード制御部１０５ｄが立ち上がり、電源スイッチ１０５ｅをＯＮにして無線通信カード１０５の各部に電源電圧を供給して
所定の初期設定が行われる。この時、カード制御部１０５ｄは、無線通信部１０５ａを介して無線基地局１０４のサーチを行い、無線基地局１０４との通信接続を確立し、受信待受状態となっている（ステップＳ１）。
【００２５】
続いて、ＰＣ制御部１０６ｆは、モデムポート接続部１０６ｃにモデムポートの接続を指示し、モデムポート接続部１０６ｃは、上記指示に従ってモデムポートの接続を行う（ステップＳ２）。そして、ＰＣ制御部１０６ｆはＳＭＳ受信待受状態に移行する（ステップＳ３）。
【００２６】
上述したように、ＩＰプッシュサーバ１０１は、携帯端末１０６のＩＰアドレスがわからない場合、ダイアルアップ接続によってＩＰプッシュサーバ１０１にアクセスするように指示するためのＳＭＳメッセージを携帯端末１０６に送信するようにＳＭＳサーバ１０２に要求する。ＳＭＳサーバ１０２は、ＩＰプッシュサーバ１０１の指示に従ってＳＭＳメッセージを無線基地局１０４を介して無線通信カード１０５に送信する。このように受信されたＳＭＳメッセージは、無線通信部１０５ａ、バッファ１０５ｃ、カードインターフェース部１０５ｆ、ＰＣインターフェース部１０６ｂを介してＰＣ制御部１０６ｆに送られる（ステップＳ４）。なお、ステップＳ４において、ＰＣ制御部１０６ｆは、ＳＭＳメッセージが受信されるまでＳＭＳ受信待受状態を維持する。
【００２７】
ＰＣ制御部１０６ｆは、上記のようにＳＭＳメッセージが入力されると、ＳＭＳメッセージをＳＭＳ解析部１０６ｄに出力する。ＳＭＳ解析部１０６ｄは、ＳＭＳメッセージの内容の解析を行い、その解析結果をＰＣ制御部１０６ｆに出力する（ステップＳ５）。そして、ＰＣ制御部１０６ｆは、カード電源保持要求をカード制御部１０５ｄに出力する（ステップＳ６）と共に、モデムポート接続部１０６ｃにモデムポートの切断を指示する（ステップＳ７）。
【００２８】
従来であれば、ステップＳ７においてモデムポートが切断されると、カード制御部１０５ｄは、自己の使用の終了と判断し、電源スイッチ１０５ｅをＯＦＦにしていた。しかしながら、本携帯端末１０６では、上記のようにモデムポート切断前にカード制御部１０５ｄに対してカード電源保持要求を出力することで電源スイッチ１０５ｅ、すなわち無線通信カード１０５の電源ＯＮ状態を保持している。
【００２９】
続いて、ＰＣ制御部１０６ｆは、モデムポートの切断後、ダイアルアップ接続部１０６ｅにダイアルアップ接続の開始を指示する（ステップＳ８）。この時、モデムポート切断後も無線通信カード１０５の電源ＯＮ状態を保持していたため、従来のように無線基地局１０４のサーチを再度行う必要はなく、即座にダイアルアップ接続を行うことができる。また、カード制御部１０５ｄは、ダイアルアップ接続が開始されると、従来と同様に自己の使用の開始と判断して電源スイッチ１０５ｅをＯＮにするので、カード電源保持要求は必要ではなくなる。従って、ＰＣ制御部１０６ｆは、ダイアルアップ接続開始に伴い、カード電源保持要求を終了する（ステップＳ９）。
【００３０】
ダイアルアップ接続が完了すると、ＰＣ制御部１０６ｆは、ＳＭＳメッセージの解析結果に基づいてＩＰプッシュサーバ１０１にアクセスする（ステップＳ１０）と共に、ＩＰプッシュサービスに対応したアプリケーションを起動する（ステップＳ１１）。そして、ＰＣ制御部１０６ｆは、上記アプリケーションの実行によって、ＩＰプッシュサーバ１０１からＩＰプッシュサービス用のデータ送受信を無線通信カード１０５を介して行い（ステップＳ１２）、上記データ送受信が終了するとダイアルアップ接続部１０６ｅにダイアルアップ接続の切断を指示する（ステップＳ１３）。上記のようなステップＳ２〜ステップＳ１３の動作は、ＩＰプッシュサービスが終了するまで繰り返される（ステップＳ１４）。
【００３１】
以上のように、本第１実施形態によれば、モデムポート切断前にＰＣ制御部１０６ｆからカード制御部１０５ｄに対してカード電源保持要求を出力することで電源スイッチ１０５ｅ、すなわち無線通信カード１０５の電源ＯＮ状態を保持するので、モデムポート切断後のダイアルアップ接続時に無線基地局１０４のサーチを再度行う必要はなく、ＳＭＳメッセージの受信からダイアルアップ接続完了までの時間を短縮することが可能である。
【００３２】
〔第２実施形態〕
次に、本発明の第２実施形態について説明する。図３は、本第２実施形態に係わる無線通信カード１０５の構成ブロック図である。この図において、図１と同じ構成要素には同一符号を付して説明を省略する。
【００３３】
図３において、符号１０５ｈはＳＭＳ受信検知部、１０５ｉは基地局情報記憶部である。ＳＭＳ受信検知部１０５ｈは、無線通信部１０５ａによって復調された受信データからＳＭＳメッセージが受信されたか否かを監視し、ＳＭＳメッセージの受信が検知されるとＳＭＳメッセージ検知信号をカード制御部１０５ｄに出力する。カード制御部１０５ｄは、ＳＭＳ受信検知部１０５ｈからＳＭＳメッセージ検知信号が入力されると、現在通信接続中の無線基地局１０４の基地局情報（基地局ＩＤ等）及び現在の時刻（ＳＭＳ受信時刻）を基地局情報記憶部１０５ｉに記憶させる。このカード制御部１０５ｄの動作については後で詳細に説明する。基地局情報記憶部１０５ｉは、例えばフラッシュメモリ等の電源が切れても記憶データが消去されないメモリである。また、携帯端末１０６の構成は図１と同様であるが、第２実施形態におけるＰＣ制御部１０６ｆは、第１実施形態のようにモデムポート切断前にカード電源保持要求をカード制御部１０５ｄに出力しない。
【００３４】
以下に、上記のような構成の無線通信カード１０５を装着した携帯端末１０６の動作について図４のフローチャート図を用いて説明する。
【００３５】
図４において、ステップＳ２０〜Ｓ２２は、図２のステップＳ１〜Ｓ３と同様なので説明を省略する。
【００３６】
ＳＭＳ受信検知部１０５ｈは、無線通信部１０５ａによって復調された受信データからＳＭＳメッセージが受信されたか否かを監視し（ステップＳ２３）、ＳＭＳメッセージの受信を検知するとＳＭＳメッセージ検知信号をカード制御部１０５ｄに出力する。そして、カード制御部１０５ｄは、ＳＭＳメッセージ検知信号に同期して、現在通信接続中の無線基地局１０４の基地局情報（基地局ＩＤ等）及び現在の時刻（ＳＭＳ受信時刻）を基地局情報記憶部１０５ｉに記憶させる（ステップＳ２４）。
【００３７】
一方、無線通信部１０５ａによって受信されたＳＭＳメッセージは、カードインターフェース部１０５ｆ、ＰＣインターフェース部１０６ｂを介してＰＣ制御部１０６ｆに送られ、ＰＣ制御部１０６ｆは、ＳＭＳメッセージをＳＭＳ解析部１０６ｄに出力する。ＳＭＳ解析部１０６ｄは、ＳＭＳメッセージの内容の解析を行い、その解析結果をＰＣ制御部１０６ｆに出力する（ステップＳ２５）。そして、ＰＣ制御部１０６ｆは、モデムポート接続部１０６ｃにモデムポートの切断を指示する（ステップＳ２６）。この時、カード制御部１０５ｄは自己の使用の終了と判断して、電源スイッチ１０５ｅをＯＦＦにする（ステップＳ２７）。すなわち、従来と同様に無線通信カード１０５の電源は一度ＯＦＦになる。
【００３８】
続いて、ＰＣ制御部１０６ｆは、モデムポートの切断後、ダイアルアップ接続部１０６ｅにダイアルアップ接続の開始を指示する（ステップＳ２８）。この時、カード制御部１０５ｄは、ダイアルアップ接続が開始されると自己の使用の開始と判断して電源スイッチ１０５ｅをＯＮにする（ステップＳ２９）。
【００３９】
そして、カード制御部１０５ｄは、基地局情報記憶部１０５ｉに基地局情報が記憶されているか否かを判定し（ステップＳ３０）、基地局情報が保存されている場合、経過時間（＝現在時刻−ＳＭＳ受信時刻）を算出する（ステップＳ３１）。続いて、カード制御部１０５ｄは、上記経過時間と所定の閾値とを比較し（ステップＳ３２）、経過時間が閾値より小さければ、携帯端末１０６がＳＭＳメッセージを受信してから同じ無線基地局のサービスエリア内に存在していると判断し、基地局情報記憶部１０５ｉに記憶されている基地局情報を読み出し、当該基地局情報に該当する無線基地局への通信接続を行う（ステップＳ３３）。
【００４０】
一方、ステップＳ３２において、経過時間が閾値より大きい場合、カード制御部１０５ｄは、携帯端末１０６がＳＭＳメッセージを受信してから同じ無線基地局のサービスエリア内に存在している可能性は低いと判断し、新たに無線基地局のサーチを行う（ステップＳ３４）。このように、上記閾値は、携帯端末１０６がＳＭＳメッセージを受信してから同じ無線基地局のサービスエリア内に存在しているか否かを判定するためのパラメータであり、携帯端末１０６を所有するユーザの移動時間等を考慮して決定されるものである。
【００４１】
ステップＳ３３、またはステップＳ３４によって通信接続可能な無線基地局が決定し、ダイアルアップ接続が完了すると（ステップＳ３５）、ＰＣ制御部１０６ｆは、ＳＭＳメッセージの解析結果に基づいてＩＰプッシュサーバ１０１にアクセスする（ステップＳ３６）。以降のステップＳ３７〜Ｓ４０は、図２のステップＳ１１〜Ｓ１４と同様である。
【００４２】
以上のように、本第２実施形態によれば、従来と同様にモデムポート切断後に無線通信カード１０５の電源がＯＦＦになる場合においても、基地局情報記憶部１０５ｉにＳＭＳメッセージ受信時の基地局情報を記憶しておくことで、ダイアルアップ接続時に基地局サーチを行う必要がなく、ＳＭＳメッセージの受信からダイアルアップ接続完了までの時間を短縮することが可能である。
【図面の簡単な説明】
【００４３】
【図１】本発明の第１実施形態に係わる無線通信カード１０５及び携帯端末１０６の構成ブロック図である。
【図２】本発明の第１実施形態における無線通信カード１０５及び携帯端末１０６の動作フローチャート図である。
【図３】本発明の第２実施形態に係わる無線通信カード１０５の構成ブロック図である。
【図４】本発明の第２実施形態における無線通信カード１０５及び携帯端末１０６の動作フローチャート図である。
【図５】従来からのＩＰプッシュサービスシステムの構成概略図である。
【符号の説明】
【００４４】
１００…ＩＰプッシュサービス端末、１０１…ＩＰプッシュサーバ、１０２…ＳＭＳサーバ、１０３…通信回線網、１０４…無線基地局、１０５…無線通信カード、１０６…携帯端末、１０５ａ…無線通信部、１０５ｂ…アンテナ、１０５ｃ…バッファ、１０５ｄ…カード制御部、１０５ｅ…電源スイッチ、１０５ｆ…カードインターフェース部及び１０５ｇ…コネクタ、１０６ａ…ＰＣカードスロット、１０６ｂ…ＰＣインターフェース部、１０６ｃ…モデムポート接続部、１０６ｄ…ＳＭＳ解析部、１０６ｅ…ダイアルアップ接続部、１０６ｆ…ＰＣ制御部、１０６ｇ…ＲＯＭ、１０６ｈ…ＲＡＭ、１０５ｈ…ＳＭＳ受信検知部、１０５ｉ…基地局情報記憶部
【図１】
2006333383.tif 000003
【図２】
2006333383.tif 000004
【図３】
2006333383.tif 000005
【図４】
2006333383.tif 000006
【図５】
2006333383.tif 000007